(57)【特許請求の範囲】
【請求項１】
画像を用紙上に形成する画像形成装置から、該用紙に関する情報を受信する受信手段と、
用紙に関する情報と該用紙の種類を示す範疇とを対応させて記憶している用紙範疇記憶手段と、
前記受信手段によって受信された用紙に関する情報に基づいて該用紙に関する情報に対応する前記範疇が前記用紙範疇記憶手段に記憶されているか否かを判断することによって、該用紙は範疇に属しているか否かを判断する判断手段と、
前記判断手段によって前記用紙は範疇に属していると判断された場合は、該範疇と該範疇に属している用紙に画像を形成するためのパラメータを、範疇とパラメータを対応させて記憶している範疇パラメータ記憶手段から抽出する抽出手段と、
前記抽出手段によって抽出された範疇とパラメータを前記画像形成装置に送信する送信手段
を具備し、
前記用紙に関する情報は、用紙の色を示す情報と用紙に色がつき始める点、用紙の色を示す情報と用紙における最大濃度、又は用紙の色を示す情報と用紙の明るさを示す情報であり、
前記用紙範疇記憶手段は、用紙の色を示す情報と用紙に色がつき始める点と該用紙の種類を示す範疇とを対応させて記憶しており、用紙の色を示す情報と用紙における最大濃度と該用紙の種類を示す範疇とを対応させて記憶しており、又は用紙の色を示す情報と用紙の明るさを示す情報と該用紙の種類を示す範疇とを対応させて記憶している
ことを特徴とする情報処理装置。
【請求項２】
前記用紙の色を示す情報として、色空間Ｌ＊ａ＊ｂ＊におけるｂ＊を用い、
前記用紙の明るさを示す情報として、色空間Ｌ＊ａ＊ｂ＊におけるＬ＊を用い、
前記用紙に色がつき始める点として、ＣＭＹＫ各色の再現開始点を用い、
前記用紙における最大濃度として、ＣＭＹＫ各色の最大濃度を用いる
ことを特徴とする請求項１に記載の情報処理装置。
【請求項３】
用紙に関する情報を受け付ける受付手段と、
前記受付手段によって受け付けられた用紙に関する情報を情報処理装置に送信する送信手段と、
前記情報処理装置から範疇とパラメータを受信する受信手段と、
前記受信手段によって受信された範疇とパラメータを対応させて記憶する記憶手段に登録する登録手段と、
前記受信手段によって受信されたパラメータを設定する設定手段
を具備し、
前記用紙に関する情報は、用紙の色を示す情報と用紙に色がつき始める点、用紙の色を示す情報と用紙における最大濃度、又は用紙の色を示す情報と用紙の明るさを示す情報である
ことを特徴とする画像形成装置。
【請求項４】
前記用紙の色を示す情報として、色空間Ｌ＊ａ＊ｂ＊におけるｂ＊を用い、
前記用紙の明るさを示す情報として、色空間Ｌ＊ａ＊ｂ＊におけるＬ＊を用い、
前記用紙に色がつき始める点として、ＣＭＹＫ各色の再現開始点を用い、
前記用紙における最大濃度として、ＣＭＹＫ各色の最大濃度を用いる
ことを特徴とする請求項３に記載の画像形成装置。
【請求項５】
画像を用紙上に形成する画像形成装置から、該用紙に関する情報を受信する受信手段と、
用紙に関する情報と該用紙の種類を示す範疇とを対応させて記憶している用紙範疇記憶手段と、
前記受信手段によって受信された用紙に関する情報に基づいて該用紙に関する情報に対応する前記範疇が前記用紙範疇記憶手段に記憶されているか否かを判断することによって、該用紙は範疇に属しているか否かを判断する判断手段と、
前記判断手段によって前記用紙は範疇に属していると判断された場合は、該範疇と該範疇に属している用紙に画像を形成するためのパラメータを、範疇とパラメータを対応させて記憶している範疇パラメータ記憶手段から抽出する抽出手段と、
前記抽出手段によって抽出された範疇とパラメータを前記画像形成装置に送信する送信手段
を有している情報処理装置と、
前記情報処理装置に通信可能に接続されている前記画像形成装置
を具備し、
前記画像形成装置は、
用紙に関する情報を受け付ける受付手段と、
前記受付手段によって受け付けられた用紙に関する情報を情報処理装置に送信する送信手段と、
前記情報処理装置から範疇とパラメータを受信する受信手段と、
前記受信手段によって受信された範疇とパラメータを対応させて記憶する記憶手段に登録する登録手段と、
前記受信手段によって受信されたパラメータを設定する設定手段
を有し、
前記用紙に関する情報は、用紙の色を示す情報と用紙に色がつき始める点、用紙の色を示す情報と用紙における最大濃度、又は用紙の色を示す情報と用紙の明るさを示す情報であり、
前記用紙範疇記憶手段は、用紙の色を示す情報と用紙に色がつき始める点と該用紙の種類を示す範疇とを対応させて記憶しており、用紙の色を示す情報と用紙における最大濃度と該用紙の種類を示す範疇とを対応させて記憶しており、又は用紙の色を示す情報と用紙の明るさを示す情報と該用紙の種類を示す範疇とを対応させて記憶している
ことを特徴とする画像形成システム。
【請求項６】
前記用紙の色を示す情報として、色空間Ｌ＊ａ＊ｂ＊におけるｂ＊を用い、
前記用紙の明るさを示す情報として、色空間Ｌ＊ａ＊ｂ＊におけるＬ＊を用い、
前記用紙に色がつき始める点として、ＣＭＹＫ各色の再現開始点を用い、
前記用紙における最大濃度として、ＣＭＹＫ各色の最大濃度を用いる
ことを特徴とする請求項５に記載の画像形成システム。
【請求項７】
コンピュータを、
画像を用紙上に形成する画像形成装置から、該用紙に関する情報を受信する受信手段と、
用紙に関する情報と該用紙の種類を示す範疇とを対応させて記憶している用紙範疇記憶手段と、
前記受信手段によって受信された用紙に関する情報に基づいて該用紙に関する情報に対応する前記範疇が前記用紙範疇記憶手段に記憶されているか否かを判断することによって、該用紙は範疇に属しているか否かを判断する判断手段と、
前記判断手段によって前記用紙は範疇に属していると判断された場合は、該範疇と該範疇に属している用紙に画像を形成するためのパラメータを、範疇とパラメータを対応させて記憶している範疇パラメータ記憶手段から抽出する抽出手段と、
前記抽出手段によって抽出された範疇とパラメータを前記画像形成装置に送信する送信手段
として機能させ、
前記用紙に関する情報は、用紙の色を示す情報と用紙に色がつき始める点、用紙の色を示す情報と用紙における最大濃度、又は用紙の色を示す情報と用紙の明るさを示す情報であり、
前記用紙範疇記憶手段は、用紙の色を示す情報と用紙に色がつき始める点と該用紙の種類を示す範疇とを対応させて記憶しており、用紙の色を示す情報と用紙における最大濃度と該用紙の種類を示す範疇とを対応させて記憶しており、又は用紙の色を示す情報と用紙の明るさを示す情報と該用紙の種類を示す範疇とを対応させて記憶している
ことを特徴とする情報処理プログラム。
【請求項８】
画像形成装置を、
用紙に関する情報を受け付ける受付手段と、
前記受付手段によって受け付けられた用紙に関する情報を情報処理装置に送信する送信手段と、
前記情報処理装置から範疇とパラメータを受信する受信手段と、
前記受信手段によって受信された範疇とパラメータを対応させて記憶する記憶手段に登録する登録手段と、
前記受信手段によって受信されたパラメータを設定する設定手段
として機能させ、
前記用紙に関する情報は、用紙の色を示す情報と用紙に色がつき始める点、用紙の色を示す情報と用紙における最大濃度、又は用紙の色を示す情報と用紙の明るさを示す情報である
ことを特徴とする画像形成プログラム。
【発明の詳細な説明】
【技術分野】
【０００１】
本発明は、情報処理装置、画像形成装置、画像形成システム、情報処理プログラム及び画像形成プログラムに関する。
【背景技術】
【０００２】
特許文献１には、新しい印刷媒体について、最適の制御条件を容易に設定できる画像形成装置と、この画像形成装置が通信回線でアクセス可能な画像形成装置用データ処理機とを提供することを課題とし、各種の印刷媒体に関する印刷媒体情報と印刷制御条件とを対応させて記憶可能な記憶手段と、通信回線を介して送受信が可能な通信手段とを設けた画像形成装置と、複数の印刷媒体について、印刷媒体情報と印刷制御条件とを対応付けて記憶したサーバー側記憶手段と、外部の画像形成装置の通信部との間で通信回線を介して送受信が可能なサーバー側通信手段とを有する画像形成装置用データ処理機とからなることが開示されている。
【先行技術文献】
【特許文献】
【０００３】
【特許文献１】特開２００３−１０７９６５号公報
【発明の概要】
【発明が解決しようとする課題】
【０００４】
本発明は、画像形成装置に設定すべきパラメータを、用紙毎ではなく、用紙の範疇毎に管理し、画像形成装置に送信するようにした情報処理装置、画像形成装置、画像形成システム、情報処理プログラム及び画像形成プログラムを提供することを目的としている。
【課題を解決するための手段】
【０００５】
かかる目的を達成するための本発明の要旨とするところは、次の各項の発明に存する。
請求項１の発明は、画像を用紙上に形成する画像形成装置から、該用紙に関する情報を受信する受信手段と、用紙に関する情報と該用紙の種類を示す範疇とを対応させて記憶している用紙範疇記憶手段と、前記受信手段によって受信された用紙に関する情報に基づいて該用紙に関する情報に対応する前記範疇が前記用紙範疇記憶手段に記憶されているか否かを判断することによって、該用紙は範疇に属しているか否かを判断する判断手段と、前記判断手段によって前記用紙は範疇に属していると判断された場合は、該範疇と該範疇に属している用紙に画像を形成するためのパラメータを、範疇とパラメータを対応させて記憶している範疇パラメータ記憶手段から抽出する抽出手段と、前記抽出手段によって抽出された範疇とパラメータを前記画像形成装置に送信する送信手段を具備し、前記用紙に関する情報は、用紙の色を示す情報と用紙に色がつき始める点、用紙の色を示す情報と用紙における最大濃度、又は用紙の色を示す情報と用紙の明るさを示す情報であり、前記用紙範疇記憶手段は、用紙の色を示す情報と用紙に色がつき始める点と該用紙の種類を示す範疇とを対応させて記憶しており、用紙の色を示す情報と用紙における最大濃度と該用紙の種類を示す範疇とを対応させて記憶しており、又は用紙の色を示す情報と用紙の明るさを示す情報と該用紙の種類を示す範疇とを対応させて記憶していることを特徴とする情報処理装置である。
【０００６】
請求項２の発明は、前記用紙の色を示す情報として、色空間Ｌ＊ａ＊ｂ＊におけるｂ＊を用い、前記用紙の明るさを示す情報として、色空間Ｌ＊ａ＊ｂ＊におけるＬ＊を用い、前記用紙に色がつき始める点として、ＣＭＹＫ各色の再現開始点を用い、前記用紙における最大濃度として、ＣＭＹＫ各色の最大濃度を用いることを特徴とする請求項１に記載の情報処理装置である。
【０００７】
請求項３の発明は、用紙に関する情報を受け付ける受付手段と、前記受付手段によって受け付けられた用紙に関する情報を情報処理装置に送信する送信手段と、前記情報処理装置から範疇とパラメータを受信する受信手段と、前記受信手段によって受信された範疇とパラメータを対応させて記憶する記憶手段に登録する登録手段と、前記受信手段によって受信されたパラメータを設定する設定手段を具備し、前記用紙に関する情報は、用紙の色を示す情報と用紙に色がつき始める点、用紙の色を示す情報と用紙における最大濃度、又は用紙の色を示す情報と用紙の明るさを示す情報であることを特徴とする画像形成装置である。
【０００８】
請求項４の発明は、前記用紙の色を示す情報として、色空間Ｌ＊ａ＊ｂ＊におけるｂ＊を用い、前記用紙の明るさを示す情報として、色空間Ｌ＊ａ＊ｂ＊におけるＬ＊を用い、前記用紙に色がつき始める点として、ＣＭＹＫ各色の再現開始点を用い、前記用紙における最大濃度として、ＣＭＹＫ各色の最大濃度を用いることを特徴とする請求項３に記載の画像形成装置である。
【０００９】
請求項５の発明は、画像を用紙上に形成する画像形成装置から、該用紙に関する情報を受信する受信手段と、用紙に関する情報と該用紙の種類を示す範疇とを対応させて記憶している用紙範疇記憶手段と、前記受信手段によって受信された用紙に関する情報に基づいて該用紙に関する情報に対応する前記範疇が前記用紙範疇記憶手段に記憶されているか否かを判断することによって、該用紙は範疇に属しているか否かを判断する判断手段と、前記判断手段によって前記用紙は範疇に属していると判断された場合は、該範疇と該範疇に属している用紙に画像を形成するためのパラメータを、範疇とパラメータを対応させて記憶している範疇パラメータ記憶手段から抽出する抽出手段と、前記抽出手段によって抽出された範疇とパラメータを前記画像形成装置に送信する送信手段を有している情報処理装置と、前記情報処理装置に通信可能に接続されている前記画像形成装置を具備し、前記画像形成装置は、用紙に関する情報を受け付ける受付手段と、前記受付手段によって受け付けられた用紙に関する情報を情報処理装置に送信する送信手段と、前記情報処理装置から範疇とパラメータを受信する受信手段と、前記受信手段によって受信された範疇とパラメータを対応させて記憶する記憶手段に登録する登録手段と、前記受信手段によって受信されたパラメータを設定する設定手段を有し、前記用紙に関する情報は、用紙の色を示す情報と用紙に色がつき始める点、用紙の色を示す情報と用紙における最大濃度、又は用紙の色を示す情報と用紙の明るさを示す情報であり、前記用紙範疇記憶手段は、用紙の色を示す情報と用紙に色がつき始める点と該用紙の種類を示す範疇とを対応させて記憶しており、用紙の色を示す情報と用紙における最大濃度と該用紙の種類を示す範疇とを対応させて記憶しており、又は用紙の色を示す情報と用紙の明るさを示す情報と該用紙の種類を示す範疇とを対応させて記憶していることを特徴とする画像形成システムである。
【００１０】
請求項６の発明は、前記用紙の色を示す情報として、色空間Ｌ＊ａ＊ｂ＊におけるｂ＊を用い、前記用紙の明るさを示す情報として、色空間Ｌ＊ａ＊ｂ＊におけるＬ＊を用い、前記用紙に色がつき始める点として、ＣＭＹＫ各色の再現開始点を用い、前記用紙における最大濃度として、ＣＭＹＫ各色の最大濃度を用いることを特徴とする請求項５に記載の画像形成システムである。
【００１１】
請求項７の発明は、コンピュータを、画像を用紙上に形成する画像形成装置から、該用紙に関する情報を受信する受信手段と、用紙に関する情報と該用紙の種類を示す範疇とを対応させて記憶している用紙範疇記憶手段と、前記受信手段によって受信された用紙に関する情報に基づいて該用紙に関する情報に対応する前記範疇が前記用紙範疇記憶手段に記憶されているか否かを判断することによって、該用紙は範疇に属しているか否かを判断する判断手段と、前記判断手段によって前記用紙は範疇に属していると判断された場合は、該範疇と該範疇に属している用紙に画像を形成するためのパラメータを、範疇とパラメータを対応させて記憶している範疇パラメータ記憶手段から抽出する抽出手段と、前記抽出手段によって抽出された範疇とパラメータを前記画像形成装置に送信する送信手段として機能させ、前記用紙に関する情報は、用紙の色を示す情報と用紙に色がつき始める点、用紙の色を示す情報と用紙における最大濃度、又は用紙の色を示す情報と用紙の明るさを示す情報であり、前記用紙範疇記憶手段は、用紙の色を示す情報と用紙に色がつき始める点と該用紙の種類を示す範疇とを対応させて記憶しており、用紙の色を示す情報と用紙における最大濃度と該用紙の種類を示す範疇とを対応させて記憶しており、又は用紙の色を示す情報と用紙の明るさを示す情報と該用紙の種類を示す範疇とを対応させて記憶していることを特徴とする情報処理プログラムである。
【００１２】
請求項８の発明は、画像形成装置を、用紙に関する情報を受け付ける受付手段と、前記受付手段によって受け付けられた用紙に関する情報を情報処理装置に送信する送信手段と、前記情報処理装置から範疇とパラメータを受信する受信手段と、前記受信手段によって受信された範疇とパラメータを対応させて記憶する記憶手段に登録する登録手段と、前記受信手段によって受信されたパラメータを設定する設定手段として機能させ、前記用紙に関する情報は、用紙の色を示す情報と用紙に色がつき始める点、用紙の色を示す情報と用紙における最大濃度、又は用紙の色を示す情報と用紙の明るさを示す情報であることを特徴とする画像形成プログラムである。
【発明の効果】
【００１３】
請求項１の情報処理装置によれば、画像形成装置に設定すべきパラメータを、用紙毎ではなく、用紙の範疇毎に管理し、画像形成装置に送信することができる。
【００１４】
請求項２の情報処理装置によれば、用紙の色を示す情報として、色空間Ｌ＊ａ＊ｂ＊におけるｂ＊を用い、用紙の明るさを示す情報として、色空間Ｌ＊ａ＊ｂ＊におけるＬ＊を用い、用紙に色がつき始める点として、ＣＭＹＫ各色の再現開始点を用い、用紙における最大濃度として、ＣＭＹＫ各色の最大濃度を用いることができる。
【００１５】
請求項３の画像形成装置によれば、情報処理装置から範疇とパラメータを受信して、パラメータを設定することができる。
【００１６】
請求項４の画像形成装置によれば、用紙の色を示す情報として、色空間Ｌ＊ａ＊ｂ＊におけるｂ＊を用い、用紙の明るさを示す情報として、色空間Ｌ＊ａ＊ｂ＊におけるＬ＊を用い、用紙に色がつき始める点として、ＣＭＹＫ各色の再現開始点を用い、用紙における最大濃度として、ＣＭＹＫ各色の最大濃度を用いることができる。
【００１７】
請求項５の画像形成システムによれば、画像形成装置に設定すべきパラメータを、用紙毎ではなく、用紙の範疇毎に管理し、画像形成装置に送信することができる。
【００１８】
請求項６の画像形成システムによれば、用紙の色を示す情報として、色空間Ｌ＊ａ＊ｂ＊におけるｂ＊を用い、用紙の明るさを示す情報として、色空間Ｌ＊ａ＊ｂ＊におけるＬ＊を用い、用紙に色がつき始める点として、ＣＭＹＫ各色の再現開始点を用い、用紙における最大濃度として、ＣＭＹＫ各色の最大濃度を用いることができる。
【００１９】
請求項７の情報処理プログラムによれば、画像形成装置に設定すべきパラメータを、用紙毎ではなく、用紙の範疇毎に管理し、画像形成装置に送信することができる。
【００２０】
請求項８の画像形成プログラムによれば、情報処理装置から範疇とパラメータを受信して、パラメータを設定することができる。
【図面の簡単な説明】
【００２１】
【図１】本実施の形態の構成例についての概念的なモジュール構成図である。
【図２】本実施の形態を実現する場合のシステム構成例を示す説明図である。
【図３】本実施の形態による処理例を示すフローチャートである。
【図４】装置管理テーブルのデータ構造例を示す説明図である。
【図５】用紙特性・カテゴリ対応テーブルのデータ構造例を示す説明図である。
【図６】用紙特性・カテゴリ対応テーブルのデータ構造例を示す説明図である。
【図７】用紙特性・カテゴリ対応テーブルのデータ構造例を示す説明図である。
【図８】カテゴリ管理テーブル（画像形成装置）のデータ構造例を示す説明図である。
【図９】カテゴリ管理テーブル（管理サーバー）のデータ構造例を示す説明図である。
【図１０】装置特性情報管理テーブル（情報処理装置）のデータ構造例を示す説明図である。
【図１１】出力パラメータ生成モジュールによる出力パラメータ生成の例を示す説明図である。
【図１２】本実施の形態の画像形成装置を実現するコンピュータのハードウェア構成例を示すブロック図である。
【図１３】本実施の形態の情報処理装置を実現するコンピュータのハードウェア構成例を示すブロック図である。
【発明を実施するための形態】
【００２２】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御する意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２３】
本実施の形態は、情報処理装置１５０が画像形成装置１００を管理するものであって、図１の例に示すように、画像形成装置１００、情報処理装置１５０が通信回線１９９を介して接続されている。なお、画像形成装置１００、情報処理装置１５０は複数あってもよく、特に１つの情報処理装置１５０に対して複数の画像形成装置１００が通信可能に接続されていてもよい。
【００２４】
画像形成装置１００は、受付モジュール１０２、判断モジュール１０４、用紙カテゴリ・出力パラメータ記憶モジュール１０６、設定モジュール１０８、登録モジュール１１０、通信モジュール１１２を有している。画像形成装置１００は、画像を用紙上に形成する。具体的には、例えば、プリンタ、複写機、ファックス、複合機（スキャナ、プリンタ、複写機、ファックス等のいずれか２つ以上の機能を有している画像処理装置）等が該当する。
【００２５】
受付モジュール１０２は、判断モジュール１０４、通信モジュール１１２と接続されている。受付モジュール１０２は、用紙に関する情報を受け付ける。例えば、タッチパネル、マウス、キーボード等に対する操作者の操作によって、用紙に関する情報を受け付ける。又は、対象としている用紙の特性を測定した測定装置から用紙に関する情報を受け付けるようにしてもよい。「用紙に関する情報」とは、その用紙の特性を示す情報、その用紙を示す情報（一般名称、慣用名称、商品名等）等がある。「用紙の特性を示す情報」としては、次に示すようなものがある。
（１）  用紙白紙のｂ＊、又はｂ＊及びａ＊（その用紙の色を示す情報）
（２）  用紙白紙のＬ＊（その用紙の明るさを示す情報）
（３）  ＣＭＹＫ各色の再現開始点（その用紙に色がつき始める点）
（４）  ＣＭＹＫ各色の最大濃度（その用紙における最大濃度）
（５）  用紙の種類（普通紙、コート紙等）
（６）  用紙の坪量
（７）  用紙の光沢度
等がある。これらの特性の１つ又は組み合わせであってもよいし、これら以外の特性を用いてもよい。なお、前述の（１）、（２）は、Ｌａｂ色空間における特性を示しているが、他の色空間（Ｌ＊ｕ＊ｖ＊、ＲＧＢ等）であってもよい。前述の（３）、（４）は、ＣＭＹＫにおける特性を示しているが、他の色の表現法（ＲＧＢ等）であってもよい。（１）〜（４）の値は、例えば、予め定められた測定用の画像を出力し、その画像を測定装置で測定して算出してもよい。また、（５）〜（７）は、用紙の包装紙等に記載されたものを操作者が打ち込むようにしてもよい。
また、用紙を示す情報と用紙の特性を示す情報を対応付けたテーブルを予め用意しておき、用紙を示す情報を受け付けた場合は、そのテーブルを用いて、用紙を示す情報から、その用紙の特性を示す情報を抽出するようにしてもよい。
【００２６】
判断モジュール１０４は、受付モジュール１０２、用紙カテゴリ・出力パラメータ記憶モジュール１０６、設定モジュール１０８、通信モジュール１１２と接続されている。判断モジュール１０４は、用紙カテゴリ・出力パラメータ記憶モジュール１０６に、受付モジュール１０２によって受け付けられた用紙に関する情報に対応する範疇（以下、カテゴリ、用紙カテゴリともいう）があるか否かを判断することによって、その用紙は範疇に属しているか否かを判断する。つまり、その用紙に関する情報は、画像形成装置１００で管理されているものであるか否かを判断する。具体的には、例えば、用紙カテゴリ・出力パラメータ記憶モジュール１０６内のカテゴリ管理テーブル（画像形成装置）８００の用紙種欄８３０に、受付モジュール１０２によって受け付けられた用紙に関する情報と対応するものがあるか否かによって判断する。
【００２７】
用紙カテゴリ・出力パラメータ記憶モジュール１０６は、判断モジュール１０４、設定モジュール１０８、登録モジュール１１０と接続されている。用紙カテゴリ・出力パラメータ記憶モジュール１０６は、通信モジュール１１２によって受信された範疇とパラメータ（以下、出力パラメータともいう）を対応させて記憶する。そして、通信モジュール１１２によって受信された範疇と受付モジュール１０２によって受け付けられた用紙に関する情報を対応させて記憶するようにしてもよい。具体的には、例えば、カテゴリ管理テーブル（画像形成装置）８００を記憶している。図８は、カテゴリ管理テーブル（画像形成装置）８００のデータ構造例を示す説明図である。カテゴリ管理テーブル（画像形成装置）８００は、カテゴリＩＤ欄８１０、カテゴリ名称欄８２０、用紙種欄８３０、出力パラメータ欄８４０を有している。カテゴリＩＤ欄８１０は、カテゴリを本実施の形態において一意に識別する情報（カテゴリＩＤ：ＩＤｅｎｔｉｆｉｃａｔｉｏｎ）を記憶している。カテゴリ名称欄８２０は、そのカテゴリの名称を記憶している。用紙種欄８３０は、そのカテゴリに属している用紙に関する情報を記憶している。出力パラメータ欄８４０は、そのカテゴリに適しているパラメータ記憶している。
【００２８】
なお、出力パラメータとは、画像形成装置１００が用紙上に画像を形成する場合にあって、画像の品質等を調整可能な値である。用紙の出力パラメータの例としては、キャリブレーションのためのターゲットがある。キャリブレーションは、主に単色の階調特性を補正する手段であり、補正するための基準となる階調特性をキャリブレーションターゲットと呼び、厳密には用紙の種類によって異なる。このため、用紙毎にキャリブレーションターゲットを生成する必要がある。また、出力パラメータの例として、出力すべき色に対応するＹＭＣＫの割合等がある。
【００２９】
設定モジュール１０８は、判断モジュール１０４、用紙カテゴリ・出力パラメータ記憶モジュール１０６と接続されている。設定モジュール１０８は、通信モジュール１１２によって受信されたパラメータを設定する。「パラメータを設定する」とは、画像形成装置１００の画像形成部分に対して、パラメータを用いて調整することである。例えば、前述のキャリブレーションターゲット、出力すべき色に対応するＹＭＣＫの割合等になるように画像形成部分を調整する。
【００３０】
登録モジュール１１０は、用紙カテゴリ・出力パラメータ記憶モジュール１０６、通信モジュール１１２と接続されている。登録モジュール１１０は、通信モジュール１１２によって受信された範疇とパラメータを用紙カテゴリ・出力パラメータ記憶モジュール１０６に記憶させる。登録モジュール１１０は、通信モジュール１１２によって受信された範疇と受付モジュール１０２によって受け付けられた用紙に関する情報を対応させて用紙カテゴリ・出力パラメータ記憶モジュール１０６に登録する。具体的には、例えば、前述のカテゴリ管理テーブル（画像形成装置）８００を生成する。
【００３１】
通信モジュール１１２は、受付モジュール１０２、判断モジュール１０４、登録モジュール１１０と接続されており、また、通信回線１９９を介して情報処理装置１５０の通信モジュール１５２と接続されている。通信モジュール１１２は、受付モジュール１０２によって受け付けられた用紙に関する情報を情報処理装置１５０に送信する。そして、通信モジュール１１２は、情報処理装置１５０から範疇とパラメータを受信する。
【００３２】
情報処理装置１５０は、通信モジュール１５２、判断モジュール１５４、用紙カテゴリ・特性記憶モジュール１５６、用紙カテゴリ登録モジュール１５８、出力パラメータ生成モジュール１６０、装置情報記憶モジュール１６２、抽出モジュール１６４、用紙カテゴリ・出力パラメータ記憶モジュール１６６を有している。情報処理装置１５０は、画像形成装置１００を管理し、その画像形成装置１００にパラメータを送信する。例えば、情報処理装置１５０による画像形成装置１００の管理として、装置管理テーブル４００のデータを生成する。図４は、装置管理テーブル４００のデータ構造例を示す説明図である。装置管理テーブル４００は、顧客ＩＤ欄４１０、装置ＩＤ欄４２０、ＩＰアドレス欄４３０を有している。顧客ＩＤ欄４１０は、顧客を本実施の形態によって一意に識別できる情報（顧客ＩＤ）を記憶している。装置ＩＤ欄４２０、その顧客が有している画像形成装置１００を本実施の形態によって一意に識別する情報（装置ＩＤ）を記憶している。ＩＰアドレス欄４３０は、その画像形成装置１００のＩＰアドレスを記憶している。情報処理装置１５０から画像形成装置１００に通信を行う場合に利用する。
【００３３】
通信モジュール１５２は、判断モジュール１５４、用紙カテゴリ登録モジュール１５８、抽出モジュール１６４と接続されており、また、通信回線１９９を介して画像形成装置１００の通信モジュール１１２と接続されている。通信モジュール１５２は、画像形成装置１００から、画像を形成する用紙に関する情報を受信する。通信モジュール１５２は、抽出モジュール１６４によって抽出された範疇とパラメータを画像形成装置１００に送信する。そして、通信モジュール１５２は、用紙カテゴリ登録モジュール１５８によって登録された範疇と、出力パラメータ生成モジュール１６０によって生成されたパラメータを画像形成装置１００に送信する。
【００３４】
判断モジュール１５４は、通信モジュール１５２、用紙カテゴリ・特性記憶モジュール１５６、用紙カテゴリ登録モジュール１５８、抽出モジュール１６４と接続されている。判断モジュール１５４は、用紙カテゴリ・特性記憶モジュール１５６に、通信モジュール１５２によって受信された用紙に関する情報に対応する範疇があるか否かを判断することによって、その用紙は範疇に属しているか否かを判断する。つまり、既に範疇と用紙の対応付けが行われているか否かを判断している。
【００３５】
用紙カテゴリ・特性記憶モジュール１５６は、判断モジュール１５４、用紙カテゴリ登録モジュール１５８と接続されている。用紙カテゴリ・特性記憶モジュール１５６は、用紙に関する情報とその用紙の種類を示す範疇とを対応させて記憶している。具体的には、例えば、用紙特性・カテゴリ対応テーブル５００、用紙特性・カテゴリ対応テーブル６００、用紙特性・カテゴリ対応テーブル７００等を記憶している。
図５は、用紙特性・カテゴリ対応テーブル５００のデータ構造例を示す説明図である。用紙特性・カテゴリ対応テーブル５００は、縦軸にｂ＊、横軸に最大濃度をとり、その交わったところにカテゴリを記憶している。例えば、最大濃度が「＜１．２（１．２未満）」であり、ｂ＊が「２＜（２より大きい）」である場合は、カテゴリＡとし、最大濃度が「１．４以上」かつ「＜１．６（１．６未満）」であり、ｂ＊が「２＜（２より大きい）」である場合は、カテゴリＢとし、最大濃度が「＜１．２（１．２未満）」であり、ｂ＊が「−４〜−２」である場合は、カテゴリＣとし、最大濃度が「１．４以上」かつ「＜１．６（１．６未満）」であり、ｂ＊が「−４〜−２」である場合は、カテゴリＤとしていることを示すものである。つまり、用紙に関する情報である最大濃度、ｂ＊からカテゴリを特定可能にしている。
図６は、用紙特性・カテゴリ対応テーブル６００のデータ構造例を示す説明図である。用紙特性・カテゴリ対応テーブル６００は、縦軸にｂ＊、横軸に再現開始点をとり、その交わったところにカテゴリを記憶している。例えば、再現開始点が「＜１（１未満）」であり、ｂ＊が「２＜（２より大きい）」である場合は、カテゴリＡとし、再現開始点が「２以上」かつ「＜３（３未満）」であり、ｂ＊が「２＜（２より大きい）」である場合は、カテゴリＢとし、再現開始点が「＜１（１未満）」であり、ｂ＊が「−４〜−２」である場合は、カテゴリＣとし、再現開始点が「２以上」かつ「＜３（３未満）」であり、ｂ＊が「−４〜−２」である場合は、カテゴリＤとしていることを示すものである。つまり、用紙に関する情報である再現開始点、ｂ＊からカテゴリを特定可能にしている。
図７は、用紙特性・カテゴリ対応テーブル７００のデータ構造例を示す説明図である。用紙特性・カテゴリ対応テーブル７００は、縦軸にｂ＊、横軸にＬ＊をとり、その交わったところにカテゴリを記憶している。例えば、Ｌ＊が「＜９４（９４未満）」であり、ｂ＊が「２＜（２より大きい）」である場合は、カテゴリＡとし、Ｌ＊が「９５〜９６」であり、ｂ＊が「２＜（２より大きい）」である場合は、カテゴリＢとし、Ｌ＊が「＜９４（９４未満）」であり、ｂ＊が「−４〜−２」である場合は、カテゴリＣとし、Ｌ＊が「９５〜９６」であり、ｂ＊が「−４〜−２」である場合は、カテゴリＤとしていることを示すものである。つまり、用紙に関する情報であるＬ＊、ｂ＊からカテゴリを特定可能にしている。
用紙特性・カテゴリ対応テーブル５００、用紙特性・カテゴリ対応テーブル６００、用紙特性・カテゴリ対応テーブル７００は、２つの用紙に関する情報の組み合わせを用いてカテゴリを特定しているが、３つ以上の用紙に関する情報の組み合わせを用いてカテゴリを特定するようにしてもよいし、１つの用紙に関する情報を用いてカテゴリを特定するようにしてもよい。
【００３６】
なお、判断モジュール１５４は、用紙カテゴリ・特性記憶モジュール１５６に記憶されている用紙特性・カテゴリ対応テーブル５００、用紙特性・カテゴリ対応テーブル６００、用紙特性・カテゴリ対応テーブル７００等のいずれか一つを用いて、カテゴリを判断するようにしてもよいし、複数の用紙特性・カテゴリ対応テーブルを用いて、多数決でカテゴリを判断するようにしてもよい。判断に用いる用紙特性・カテゴリ対応テーブルとして、通信モジュール１５２によって受信された用紙に関する情報が適用できる用紙特性・カテゴリ対応テーブルを選択するようにしてもよい。
【００３７】
用紙カテゴリ登録モジュール１５８は、通信モジュール１５２、判断モジュール１５４、用紙カテゴリ・特性記憶モジュール１５６、出力パラメータ生成モジュール１６０と接続されている。用紙カテゴリ登録モジュール１５８は、判断モジュール１５４によって対象としている用紙は範疇に属していると判断されなかった場合は、その用紙が属する新たな範疇を用紙カテゴリ・特性記憶モジュール１５６に登録する。いままでの範疇に属さない用紙である場合は、その用紙が含まれるような新たな範疇を生成し、用紙特性・カテゴリ対応テーブル５００、用紙特性・カテゴリ対応テーブル６００、用紙特性・カテゴリ対応テーブル７００等を修正、又は新たに作成する。
【００３８】
出力パラメータ生成モジュール１６０は、用紙カテゴリ登録モジュール１５８、装置情報記憶モジュール１６２、用紙カテゴリ・出力パラメータ記憶モジュール１６６と接続されている。出力パラメータ生成モジュール１６０は、範疇に対応したパラメータを生成する。出力パラメータ生成モジュール１６０は、画像形成装置１００の特性と他の画像形成装置１００の特性に基づいて、パラメータを生成するようにしてもよい。「画像形成装置１００と他の画像形成装置１００」とは、情報処理装置１５０が管理している複数の画像形成装置１００をいう。「特性に基づいて」とは、複数種の特性に合わせてパラメータを生成することをいい、例えば、その特性の平均値、中央値、最頻値等に合わせてパラメータを生成すること、最も性能が高い特性に合わせてパラメータを生成すること、最も性能が低い特性に合わせてパラメータを生成すること等であってもよい。
【００３９】
装置情報記憶モジュール１６２は、出力パラメータ生成モジュール１６０と接続されている。具体的には、例えば、装置特性情報管理テーブル（情報処理装置）１０００を記憶している。図１０は、装置特性情報管理テーブル（情報処理装置）１０００のデータ構造例を示す説明図である。装置特性情報管理テーブル（情報処理装置）１０００は、装置ＩＤ欄１０１０、装置特性情報欄１０２０を有している。装置ＩＤ欄１０１０は、画像形成装置１００の装置のＩＤを記憶している。装置特性情報欄１０２０は、その画像形成装置１００の特性情報を記憶している。パラメータを生成するための特性情報である。例えば、入力濃度と出力濃度の関係を示す特性情報等が該当する。
【００４０】
抽出モジュール１６４は、通信モジュール１５２、判断モジュール１５４、用紙カテゴリ・出力パラメータ記憶モジュール１６６と接続されている。抽出モジュール１６４は、判断モジュール１５４によって対象としている用紙は範疇に属していると判断された場合は、その範疇とその範疇に属している用紙に画像を形成するためのパラメータを、用紙カテゴリ・出力パラメータ記憶モジュール１６６から抽出する。
【００４１】
用紙カテゴリ・出力パラメータ記憶モジュール１６６は、出力パラメータ生成モジュール１６０、抽出モジュール１６４と接続されている。用紙カテゴリ・出力パラメータ記憶モジュール１６６は、範疇とパラメータを対応させて記憶している。具体的には、例えば、カテゴリ管理テーブル（管理サーバー）９００を記憶している。図９は、カテゴリ管理テーブル（管理サーバー）９００のデータ構造例を示す説明図である。カテゴリ管理テーブル（管理サーバー）９００は、カテゴリＩＤ欄９１０、カテゴリ名称欄９２０、用紙種欄９３０、出力パラメータ欄９４０、装置ＩＤ欄９５０を有している。カテゴリＩＤ欄９１０、カテゴリ名称欄９２０、用紙種欄９３０、出力パラメータ欄９４０のそれぞれは、カテゴリ管理テーブル（画像形成装置）８００のカテゴリＩＤ欄８１０、カテゴリ名称欄８２０、用紙種欄８３０、出力パラメータ欄８４０と同等のものである。カテゴリ管理テーブル（管理サーバー）９００のカテゴリＩＤ欄９１０、カテゴリ名称欄９２０、用紙種欄９３０、出力パラメータ欄９４０の内容を、画像形成装置１００に送信し、画像形成装置１００は、カテゴリ管理テーブル（画像形成装置）８００のカテゴリＩＤ欄８１０、カテゴリ名称欄８２０、用紙種欄８３０、出力パラメータ欄８４０として記憶する。装置ＩＤ欄９５０は、カテゴリＩＤ欄９１０、カテゴリ名称欄９２０、用紙種欄９３０、出力パラメータ欄９４０の値の組を登録した画像形成装置１００の機器ＩＤを記憶する。
【００４２】
図２は、本実施の形態を実現する場合のシステム構成例を示す説明図である。
画像形成装置Ａ：２１０Ａ、画像形成装置Ｂ：２１０Ｂ、画像形成装置Ｃ：２１０Ｃ、管理サーバー２５０は、それぞれ通信回線２９９を介して接続されている。通信回線２９９は、無線、有線を問わない。
画像形成装置Ａ：２１０Ａ、画像形成装置Ｂ：２１０Ｂ、画像形成装置Ｃ：２１０Ｃは、図１に例示の画像形成装置１００に該当する。図２の例では、３つの装置を示しているが、１つ以上であればよい。
管理サーバー２５０は、図１に例示の情報処理装置１５０に該当する。管理サーバー２５０は、画像形成装置２１０から用紙に関する情報を受信すると、その用紙に適したパラメータを画像形成装置２１０に送信する。そして、画像形成装置２１０は、そのパラメータを設定して、その用紙上に画像を形成する。
画像形成装置Ａ：２１０Ａ、画像形成装置Ｂ：２１０Ｂ、画像形成装置Ｃ：２１０Ｃが接続されている通信回線２９９と管理サーバー２５０が接続されている通信回線２９９との間にファイアウォールが構築されていてもよい。この場合、画像形成装置２１０から管理サーバー２５０に、例えば、用紙が選択されたときに、用紙に関する情報を送信すればよい。
【００４３】
本実施の形態による処理の概要を述べる。
画像を形成するためのパラメータは用紙毎ではなく、予め定めた基準によって範疇分けしておく。
それぞれの画像形成装置２１０で標準以外の用紙を用いようとする場合、管理サーバー２５０の用紙データベース（前述の用紙特性・カテゴリ対応テーブル５００等に相当）に問い合わせ、用いようとする用紙が用紙データベースの用紙カテゴリに分類可能な場合は、その用紙カテゴリで定義されているパラメータ（前述のカテゴリ管理テーブル（管理サーバー）９００の出力パラメータ欄９４０）を利用し、用紙データベースの用紙カテゴリに分類できない場合は、新規に用いようとする用紙のためのパラメータを生成する。
ここで新規に生成するパラメータは、管理サーバー２５０で生成する。管理サーバー２５０は、接続された複数の画像形成装置２１０の特性を管理しており、それぞれの画像形成装置２１０で適用できるパラメータとなるようにパラメータを生成する。
管理サーバー２５０が生成した用紙カテゴリと対応するパラメータは管理サーバー２５０内に登録し、管理サーバー２５０が管理する他の画像形成装置２１０でも、そのパラメータを利用し得る。
【００４４】
図３は、本実施の形態による処理例を示すフローチャートである。
ステップＳ３０２では、ユーザー３００が、利用用紙の指定を行う。もちろんのことながら、画像形成装置１００が、画像形成装置１００に備え付けられているタッチパネル等に対するユーザー３００による操作を検知して、利用用紙（用紙種）の指定を受け付けることになる。
ステップＳ３０４では、判断モジュール１０４が、登録済み用紙カテゴリに用紙種の登録があるか否かを判断し、ある場合はステップＳ３２４へ進み、それ以外の場合はステップＳ３０６へ進む。具体的には、例えば、カテゴリ管理テーブル（画像形成装置）８００の用紙種欄８３０内に、ステップＳ３０２で指定された用紙種があるか否かを判断する。用紙種があれば、その用紙種に対応する出力パラメータ欄８４０がステップＳ３２４で選択されることになる。
【００４５】
ステップＳ３０６では、受付モジュール１０２が、出力パラメータ作成のための用紙特性情報を要請する。具体的には、例えば、ユーザー３００が見ることができるタッチパネル等に用紙特性情報を書き込むように表示する、又は測定装置に測定する指示を送信する。
ステップＳ３０８では、ユーザー３００又は測定装置が、用紙特性の測定／書き込みを行う。もちろんのことながら、画像形成装置１００が、画像形成装置１００に備え付けられているタッチパネル等に対するユーザー３００による操作を検知して、用紙の特性情報を受け付けることになる。又は、画像形成装置１００が、測定装置からの送信を受信して、用紙の特性情報を受け付ける。
【００４６】
ステップＳ３１０では、通信モジュール１１２が、用紙特性情報（用紙に関する情報）を情報処理装置１５０に送信する。
ステップＳ３１２では、判断モジュール１５４が、登録済み用紙カテゴリに該当があるか否かを判断し、ある場合はステップＳ３２０へ進み、それ以外の場合はステップＳ３１４へ進む。具体的には、例えば、用紙特性情報に対応するカテゴリが、用紙特性・カテゴリ対応テーブル５００、用紙特性・カテゴリ対応テーブル６００、用紙特性・カテゴリ対応テーブル７００等から検索できるか否かによって判断する。
ステップＳ３１４では、用紙カテゴリ登録モジュール１５８が、新規用紙カテゴリを登録する。用紙特性情報に対応するカテゴリを新規に生成する。具体的には、例えば、用紙特性・カテゴリ対応テーブル５００、用紙特性・カテゴリ対応テーブル６００、用紙特性・カテゴリ対応テーブル７００等に新規のカテゴリを追加して修正する、又は新たに用紙特性・カテゴリ対応テーブルを作成する。
【００４７】
ステップＳ３１６では、出力パラメータ生成モジュール１６０が、新規用紙カテゴリの出力パラメータを生成する。具体的には、例えば、装置情報記憶モジュール１６２内の特性情報を用いて、出力パラメータを生成する。そして、カテゴリ管理テーブル（管理サーバー）９００に登録する。
図１１は、出力パラメータ生成モジュール１６０による出力パラメータ生成の例を示す説明図である。図１１の例に示すグラフは、横軸に受け付けた画像の濃度を示し、縦軸にその受け付けた濃度の画像を出力場合の濃度を示している。
グラフＡ：１１１０は、画像形成装置Ａの濃度特性を示しており、グラフＢ：１１２０は、画像形成装置Ｂの濃度特性を示している。つまり、画像形成装置Ｂは画像形成装置Ａよりも画像の再現性が優れている。
出力パラメータ生成モジュール１６０は、画像形成装置Ａと画像形成装置Ｂの装置特性情報（ここでは、濃度特性値）を装置特性情報管理テーブル（情報処理装置）１０００の装置特性情報欄１０２０から抽出し、出力パラメータ１１３０のような出力パラメータを生成する。つまり、グラフＡ：１１１０とグラフＢ：１１２０の中間となるように出力パラメータを生成する。
なお、この場合、画像形成装置Ａでは、濃度（Ｉｎ）がｘ以上では濃度（Ｏｕｔ）がｙ以上にならないことになり、画像形成装置Ｂでは、本来の装置特性を発揮していないことになってしまうが、この用紙カテゴリに含まれる複数の用紙に対して、複数の画像形成装置に設定すべき出力パラメータとして、１つの出力パラメータ１１３０を管理することで足りることになる。
【００４８】
ステップＳ３１８では、通信モジュール１５２が、ステップＳ３１４で新規に登録した用紙カテゴリを画像形成装置１００に送信する。
ステップＳ３２０では、通信モジュール１５２が、用紙カテゴリと出力パラメータを画像形成装置１００に送信する。カテゴリ管理テーブル（管理サーバー）９００からカテゴリＩＤ欄９１０、カテゴリ名称欄９２０、出力パラメータ欄９４０の値を抽出して、送信する。
ステップＳ３２２では、登録モジュール１１０が、用紙カテゴリ・出力パラメータ記憶モジュール１０６内に新規用紙カテゴリを登録する。具体的には、例えば、カテゴリ管理テーブル（画像形成装置）８００のカテゴリＩＤ欄８１０、カテゴリ名称欄８２０に受信した用紙カテゴリの情報を登録する。
【００４９】
ステップＳ３２４では、設定モジュール１０８が、対応する用紙カテゴリの出力パラメータを選択する。ステップＳ３２０の送信を受信した場合は、受信した出力パラメータをカテゴリ管理テーブル（画像形成装置）８００の用紙カテゴリに対応する出力パラメータ欄８４０に登録した後に、対応する用紙カテゴリの出力パラメータを選択する。
ステップＳ３２６では、設定モジュール１０８が、利用用紙に対応した出力パラメータをセットする。
【００５０】
図１２を参照して、本実施の形態の画像形成装置１００のハードウェア構成例について説明する。図１２に示す構成は、例えばパーソナルコンピュータ（ＰＣ）などによって構成されるものであり、スキャナ等のデータ読み取り部１２１７と、プリンタなどのデータ出力部１２１８を備えたハードウェア構成例を示している。
【００５１】
ＣＰＵ（Ｃｅｎｔｒａｌ  Ｐｒｏｃｅｓｓｉｎｇ  Ｕｎｉｔ）１２０１は、前述の実施の形態において説明した各種のモジュール、すなわち、受付モジュール１０２、判断モジュール１０４、設定モジュール１０８、登録モジュール１１０、通信モジュール１１２等の各モジュールの実行シーケンスを記述したコンピュータ・プログラムにしたがった処理を実行する制御部である。
【００５２】
ＲＯＭ（Ｒｅａｄ  Ｏｎｌｙ  Ｍｅｍｏｒｙ）１２０２は、ＣＰＵ１２０１が使用するプログラムや演算パラメータ等を格納する。ＲＡＭ（Ｒａｎｄｏｍ  Ａｃｃｅｓｓ  Ｍｅｍｏｒｙ）１２０３は、ＣＰＵ１２０１の実行において使用するプログラムや、その実行において適宜変化するパラメータ等を格納する。これらはＣＰＵバスなどから構成されるホストバス１２０４により相互に接続されている。
【００５３】
ホストバス１２０４は、ブリッジ１２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１２０６に接続されている。
【００５４】
キーボード１２０８、マウス等のポインティングデバイス１２０９は、操作者により操作される入力デバイスである。ディスプレイ１２１０は、液晶表示装置又はＣＲＴ（Ｃａｔｈｏｄｅ  Ｒａｙ  Ｔｕｂｅ）などがあり、各種情報をテキストやイメージ情報として表示する。
【００５５】
ＨＤＤ（Ｈａｒｄ  Ｄｉｓｋ  Ｄｒｉｖｅ）１２１１は、ハードディスクを内蔵し、ハードディスクを駆動し、ＣＰＵ１２０１によって実行するプログラムや情報を記録又は再生させる。ハードディスクには、カテゴリ管理テーブル（画像形成装置）８００、画像データなどが格納される。さらに、その他の各種のデータ処理プログラム等、各種コンピュータ・プログラムが格納される。
【００５６】
ドライブ１２１２は、装着されている磁気ディスク、光ディスク、光磁気ディスク、又は半導体メモリ等のリムーバブル記録媒体１２１３に記録されているデータ又はプログラムを読み出して、そのデータ又はプログラムを、インタフェース１２０７、外部バス１２０６、ブリッジ１２０５、及びホストバス１２０４を介して接続されているＲＡＭ１２０３に供給する。リムーバブル記録媒体１２１３も、ハードディスクと同様のデータ記録領域として利用可能である。
【００５７】
接続ポート１２１４は、外部接続機器１２１５を接続するポートであり、ＵＳＢ、ＩＥＥＥ１３９４等の接続部を持つ。接続ポート１２１４は、インタフェース１２０７、及び外部バス１２０６、ブリッジ１２０５、ホストバス１２０４等を介してＣＰＵ１２０１等に接続されている。通信部１２１６は、通信回線に接続され、外部とのデータ通信処理を実行する。データ読み取り部１２１７は、例えばスキャナであり、ドキュメントの読み取り処理を実行する。データ出力部１２１８は、例えばプリンタであり、ドキュメントデータの出力処理を実行する。
【００５８】
なお、図１２に示す画像形成装置のハードウェア構成は、１つの構成例を示すものであり、本実施の形態は、図１２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１２に示すシステムが複数互いに通信回線によって接続されていて互いに協調動作するようにしてもよい。また、複写機、ファックス、スキャナ、プリンタ、複合機などに組み込まれていてもよい。
【００５９】
なお、本実施の形態の情報処理装置１５０としてのプログラムが実行されるコンピュータのハードウェア構成は、図１３に例示するように、一般的なコンピュータであり、具体的にはパーソナルコンピュータ、サーバーとなり得るコンピュータ等である。つまり、具体例として、処理部（演算部）としてＣＰＵ１３０１を用い、記憶装置としてＲＡＭ１３０２、ＲＯＭ１３０３、ＨＤ１３０４を用いている。ＨＤ１３０４として、例えばハードディスクを用いてもよい。通信モジュール１５２、判断モジュール１５４、用紙カテゴリ登録モジュール１５８、出力パラメータ生成モジュール１６０、抽出モジュール１６４等のプログラムを実行するＣＰＵ１３０１と、そのプログラムやデータを記憶するＲＡＭ１３０２と、本コンピュータを起動するためのプログラム等が格納されているＲＯＭ１３０３と、補助記憶装置であるＨＤ１３０４と、キーボード、マウス、タッチパネル等に対する利用者の操作に基づいてデータを受け付ける受付装置１３０６と、ＣＲＴ、液晶ディスプレイ等の出力装置１３０５と、ネットワークインタフェースカード等の通信ネットワークと接続するための通信回線インタフェース１３０７、そして、それらをつないでデータのやりとりをするためのバス１３０８により構成されている。これらのコンピュータが複数台互いにネットワークによって接続されていてもよい。
【００６０】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１３に示すハードウェア構成は、１つの構成例を示すものであり、本実施の形態は、図１３に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１３に示すシステムが複数互いに通信回線によって接続されていて互いに協調動作するようにしてもよい。
【００６１】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００６２】
１００…画像形成装置
１０２…受付モジュール
１０４…判断モジュール
１０６…用紙カテゴリ・出力パラメータ記憶モジュール
１０８…設定モジュール
１１０…登録モジュール
１１２…通信モジュール
１５０…情報処理装置
１５２…通信モジュール
１５４…判断モジュール
１５６…用紙カテゴリ・特性記憶モジュール
１５８…用紙カテゴリ登録モジュール
１６０…出力パラメータ生成モジュール
１６２…装置情報記憶モジュール
１６４…抽出モジュール
１６６…用紙カテゴリ・出力パラメータ記憶モジュール
１９９…通信回線
２１０…画像形成装置
２５０…管理サーバー
２９９…通信回線
【図１】
0005970862.tif 000002
【図２】
0005970862.tif 000003
【図３】
0005970862.tif 000004
【図４】
0005970862.tif 000005
【図５】
0005970862.tif 000006
【図６】
0005970862.tif 000007
【図７】
0005970862.tif 000008
【図８】
0005970862.tif 000009
【図９】
0005970862.tif 000010
【図１０】
0005970862.tif 000011
【図１１】
0005970862.tif 000012
【図１２】
0005970862.tif 000013
【図１３】
0005970862.tif 000014